(57)【要約】【課題】低温環境下において着霜により帯状切起片に目詰まりが生じた場合においても、十分な伝熱面積を確保するとともに通風抵抗の増加を抑制する熱交換器を提供することを課題とする。【解決手段】本発明に係る熱交換器は、板厚方向に平行に並べられた複数のフィンと、フィンを板厚方向に貫通し、フィンの長手方向に所定間隔で配列され、内部を冷媒が流動する複数の伝熱管と、隣り合った複数の伝熱管の間であって、フィンの表面に形成された帯状切起片と、を備え、フィンの長手方向及び板厚方向に対して垂直方向に空気を送風し、空気を冷媒と熱交換させる熱交換器であって、帯状切起片の風上側にスリットを形成し、伝熱管に対するフィンの風下側端部を風下側に突出させて凸部を形成し、帯状切起片に対するフィンの風下側端部をこの凸部に対して相対的にへこませて凹部を形成する。【選択図】  図１
2012013269.tif 000002
【特許請求の範囲】
【請求項１】
板厚方向に平行に並べられた複数のフィンと、前記フィンを板厚方向に貫通し、前記フィンの長手方向に所定間隔で配列され、内部を冷媒が流動する複数の伝熱管と、隣り合った前記複数の伝熱管の間であって、前記フィンの表面に形成された帯状切起片と、を備え、前記フィンの長手方向及び板厚方向に対して垂直方向に空気を送風し、前記空気を前記冷媒と熱交換させる熱交換器であって、
前記帯状切起片の風上側にスリットを形成し、
前記伝熱管に対する前記フィンの風下側端部を風下側に突出させて凸部を形成し、前記帯状切起片に対する前記フィンの風下側端部を前記凸部に対して相対的にへこませて凹部を形成した熱交換器。
【請求項２】
請求項１において、前記帯状切起片と前記スリットは矩形状であり、前記帯状切起片の風上側端部と前記スリットの風下側端部が接する熱交換器。
【請求項３】
請求項１又は２において、長手方向に隣り合う前記伝熱管の中心を結ぶ線上又は前記線上よりも風下側に前記帯状切起片を形成した熱交換器。
【請求項４】
請求項１乃至３の何れかにおいて、前記凸部と前記凸部を同形状とする熱交換器。
【請求項５】
請求項１乃至４の何れかに記載の熱交換器を備えた冷凍サイクル装置。
【請求項６】
請求項５に記載の冷凍サイクル装置を備えた空気調和機。
【請求項７】
請求項５に記載の冷凍サイクル装置を備えたヒートポンプ給湯機。
【発明の詳細な説明】
【技術分野】
【０００１】
本発明は、着霜時での性能低下を抑制する熱交換器、その熱交換器を用いた冷凍サイクル装置、並びに、その冷凍サイクル装置を用いた空気調和機及びヒートポンプ給湯機に関する。
【背景技術】
【０００２】
近年、地球温暖化など深刻な環境問題を受け、地球環境保護の観点からＣＯ2削減が強く求められている。一般家庭のエネルギー消費量で大きな割合を占める空調機器等においても省エネルギー化は大きな課題であり、特に、これらの性能を左右する熱交換器に対しては一層の性能向上が要望されている。
【０００３】
熱交換器には、一般的に、伝熱面積を増加させて高性能化を図るため、フィン表面に複数の帯状切起片が設けられている。この帯状切起片により、熱交換器を大きくすることなく熱交換量を増大させることができる。しかしながら、この帯状切起片は、フィン間の通風抵抗を増大させることになるため、特に低温環境下においては、着霜による目詰まりを生じさせる原因となる。
【０００４】
従来の熱交換器として、フィン面積あたりの伝熱量を増加させて圧損を低減させるため、伝熱管に対するフィンの風上側端部を風上側に突出させるものがある（例えば、特許文献１（第１図）参照）。特許文献１では、伝熱管に対するフィンの風上側端部を風上側に凸状（凸部）に突出させ、一方、帯状切起片に対するフィンの風上側端部を風下側に凹状（凹部）にへこませ、且つ、フィンの送風方向下流側端部全域をカットしている。このような引用文献１によれば、伝熱管近傍のフィン効率が高い部分のフィン面積を拡大し、フィン効率の低い部分及び伝熱管背面の死水領域を含む送風方向下流側全域をカットすることで、フィン面積あたりの伝熱量を増加させ圧損を低減させる。
【０００５】
しかしながら、特許文献１に記載の熱交換器においては、例えば低温環境下において帯状切起片に着霜による目詰まりが生じた場合、伝熱面積は伝熱管の上流側のみに限られて、大きな性能低下が予想される。また、風の流れるスペースが、伝熱管と帯状切起片の隙間に限られてしまうため、通風抵抗が増大する可能性がある。
【先行技術文献】
【特許文献】
【０００６】
【特許文献１】実開昭６２−７５３８３号公報
【発明の概要】
【発明が解決しようとする課題】
【０００７】
本発明は、低温環境下において着霜により帯状切起片に目詰まりが生じた場合においても、十分な伝熱面積を確保するとともに通風抵抗の増加を抑制する熱交換器を提供することを課題とする。
【課題を解決するための手段】
【０００８】
本発明に係る熱交換器は、板厚方向に平行に並べられた複数のフィンと、フィンを板厚方向に貫通し、フィンの長手方向に所定間隔で配列され、内部を冷媒が流動する複数の伝熱管と、隣り合った複数の伝熱管の間であって、フィンの表面に形成された帯状切起片と、を備え、フィンの長手方向及び板厚方向に対して垂直方向に空気を送風し、空気を冷媒と熱交換させる熱交換器であって、帯状切起片の風上側にスリットを形成し、伝熱管に対するフィンの風下側端部を風下側に突出させて凸部を形成し、帯状切起片に対するフィンの風下側端部をこの凸部に対して相対的にへこませて凹部を形成する。
【発明の効果】
【０００９】
本発明によれば、低温環境下において着霜により帯状切起片に目詰まりが生じた場合においても、十分な伝熱面積を確保するとともに通風抵抗の増加を抑制する熱交換器を提供することができる。
【図面の簡単な説明】
【００１０】
【図１】熱交換器の全体図。
【図２】熱交換器の説明図。
【図３】熱交換器の説明図。
【図４】図１のＡ−Ａ断面図。
【図５】熱交換器のフィン形状を示す図。
【図６】熱交換器のフィン形状を示す図。
【図７】空気調和機の冷凍サイクルを示す構成図。
【発明を実施するための形態】
【００１１】
以下、本発明に係る熱交換器の実施例を図１〜図７を用いて説明する。本実施例の熱交換器は、帯状切起片の風上側にスリットを形成し、伝熱管に対するフィンの風下側端部を風下側に突出させて凸部を形成し、帯状切起片に対するフィンの風下側端部をこの凸部に対して相対的にへこませて凹部を形成することにより、低温環境下において着霜により帯状切起片に目詰まりが生じた場合においても、十分な伝熱面積と通風路を確保することができる。
【００１２】
本実施例においては、空気調和機における熱交換器を例にして説明する。図７は、空気調和機の冷凍サイクルを示す構成図である。まず、図７を用いて冷凍サイクルについて説明する。暖房運転時は、圧縮機１０１により圧縮された高温・高圧の冷媒が四方弁１０２を介して凝縮器として機能する室内熱交換器１０３に流入する。そして、室内ファン１０４により室内空気と室内熱交換器１０３内に流れる冷媒が熱交換することにより空気は暖められ室温は上昇する。また、冷媒は放熱すると共に液化して膨張弁１０５に流入する。膨張弁１０５において冷媒は減圧されて低温・低圧になり、蒸発器として機能する室外熱交換器１０６に流入する。室外ファン１０７により室外空気と室外熱交換器１０６内に流れる冷媒が熱交換し、室外空気が冷やされ、冷媒は蒸発する。その後、蒸発した冷媒は再び四方弁１０２に流入した後、圧縮機１０１に戻され、再び高温・高圧の冷媒となる。このサイクルを繰り返すことにより、空気調和機は暖房運転を行う。逆に、冷房運転時は、四方弁１０２により冷媒の流れる方向が切り換えられ、室内熱交換器１０３と室外熱交換器１０６の役割が逆になる。つまり、室内熱交換器１０３が蒸発器になり、室外熱交換器１０６が凝縮器となることにより、空気調和機は冷房運転を行う。
【００１３】
図１に、本発明に係る熱交換器の基本構成図を示す。熱交換器は、板厚方向（伝熱管２の軸方向）に所定の間隔で平行に並べられた複数のフィン１と、フィン１を板厚方向に貫通し内部を冷媒が流動する複数の伝熱管２とを備える。伝熱管２はフィン１の長手方向（図１の上下方向）に所定の間隔で配置される。フィン１の表面には、フィン１の長手方向に隣り合う伝熱管２の間に、帯状切起片３が形成される。このように構成される熱交換器の伝熱管２及びフィン１に向かって、フィン１の長手方向及び板厚方向に対して垂直方向（図１の左右方向）に空気を送風する（図１の右向き）ことで、冷媒と空気とが熱交換される。
【００１４】
次に、本発明に係る熱交換器のフィン１の特徴について、図２〜図４を用いて説明する。図２及び図３は熱交換器の説明図（図１に記載の熱交換器のフィン１を板厚方向から見た図）であり、図２は帯状切起片に着霜による目詰まりが生じていない状態での風の流れを示しており、図３は帯状切起片に着霜による目詰まりが生じている状態での風の流れを示している。図４は図１のＡ−Ａ断面図であり、特に、帯状切起片に着霜による目詰まりが生じている状態での風の流れを示している。
【００１５】
図２に示すように、帯状切起片３に着霜による目詰まりが生じていない状態では、帯状切起片３部に流れ込んだ送風空気は帯状切起片３をくぐりながら通過する。伝熱管２に流れ込んだ送風空気は伝熱管２の壁面に沿って流れ、その後、背面側で剥離して、フィン１を通過する。従って、伝熱管２の背面にはハッチングで示すような死水領域が発生する。
【００１６】
一方、図３に示すように、帯状切起片３に着霜による目詰まりが生じている状態では、帯状切起片３に流れ込んだ送風空気は、帯状切起片３の輪郭で形成される霜壁の上流側で分岐されて伝熱管２寄りにその向きを変え、伝熱管２側に流れ込む。そのため、帯状切起片３は伝熱管に流れ込んだ風を押し出すように作用し、送風空気の主流派伝熱管２から剥離し難くなる。従って、伝熱管２の風下側に形成される死水領域が大幅に減少する。
【００１７】
ここで、熱交換器の性能について検討する。例えば、冷媒から送風空気までのトータルでの熱交換効率という観点から、送風空気の吸熱（つまり冷媒から送風空気への放熱）を検討すると、上述したように、送風方向に対して伝熱管の下流側には空気の流れが殆ど無い死水領域が存在する。このため、死水領域に接する伝熱管では「冷媒→伝熱管→送風空気」といったフィン１を介さない直接的な熱交換は期待することができない。すなわち、伝熱管２の送風方向下流側では、上流側のような熱交換を期待することができない。従って、この場合、伝熱管２の送風方向下流側における主な放熱手段はフィン１となる。つまり、伝熱管２から死水領域外のフィン１表面に至るまで、フィンを介した熱伝導により熱を伝え、それから空気に放熱する「冷媒→伝熱管→フィン→送風空気」といった間接的な熱交換による放熱経路となる。そのため、送風方向に対して伝熱管内壁の下流側に面する冷媒（死水領域に接する冷媒）にとって、死水領域周辺の充分なフィン面積の確保が重要となる。
【００１８】
ここで、本実施例のフィン１では、伝熱管に対するフィンの風下側端部を風下側に突出させて凸部４を形成する一方、帯状切起片に対するフィンの風下側端部をこの凸部に対して相対的にへこませて凹部を形成する。このような帯状切起片３の風下側に凹部を形成した場合の効果は以下の通りである。帯状切起片３を通過する送風空気の熱伝達率は、伝熱管２の近傍を通過する送風空気の熱伝達率に比べて高い。そのため、流れ込む空気の温度が比較的早くフィン１の表面温度に近付く。つまり、空気とフィンとの熱交換が飽和状態に早く到達してしまい、帯状切起片３を通過した後の風下側端部では大きな熱交換量は望めない。そこで、帯状切起片３の送風方向下流側のフィン端部をカットすることで、フィン１の伝熱面積に対する熱交換効率を改善することができる。また、送風空気が帯状切起片３を通過する際に生じる圧力損失は、伝熱管２近傍を通過する場合に比べると高いため、帯状切起片３の下流側フィン端部をカットすることで圧力損失が低減され、全体的な空気流動バランスを改善することもできる。以上の効果により、低温環境下において着霜により帯状切起片に目詰まりが生じた場合においても、十分な伝熱面積を確保することができる。
【００１９】
さらに、本発明に係る熱交換器のフィン１は、図４に示すように、帯状切起片３の風上側にスリット５を形成する。帯状切起片３の風上側にスリット５を形成することにより、帯状切起片３に着霜による目詰まりが生じている状態であっても、スリット５を介して帯状切起片３から送風空気が流れやすくなるので、通風抵抗の増大を抑制することができる。また、着霜により隣り合う帯状切起片３が結合してしまった場合であっても、スリット５を介して結合していない帯状切起片３の間を送風空気が流れるので、通風抵抗の増大を抑制することができる。このように通風抵抗の増大を抑制することにより、熱交換性能の低下を抑制することができる。
【００２０】
尚、帯状切起片３とスリット５を矩形状とし、帯状切起片３の風上側端部とスリット５の風下側端部が接するように構成することにより、より効率的に送風空気が流れやすくなり、通風抵抗の増大を抑制することができる。
【００２１】
また、長手方向に隣り合う伝熱管２の中心を結ぶ線上又はこの線上よりも風下側に帯状切起片３を形成することが好ましい。このような構成により、伝熱管２間の最も狭い空間における通風抵抗の増大を抑制することができる。さらに、帯状切起片３に着霜した場合であっても、着霜による通風抵抗により伝熱管２背面に送風空気が廻り込み易くなり、伝熱管２背面の死水領域が減少して、フィン１の伝熱面積を増大させることができる。
【００２２】
次に、図５及び図６を用いて、フィン１の風下側端部に形成された凸部及び凹部の形状について説明する。図５及び図６は、熱交換器のフィン１形状を示す図である。図１〜図３に示すフィン形状は、送風方向下流側端部に略矩形状の凸部及び凹部を形成しているが、対象となる環境や熱交換器の用途に応じて、図５及び図６に示すように段階的に凹部深さを異ならせるような階段状のフィン形状とすることもできる。図５及び図６に示すようなフィン形状とすることで、フィン１上の空気流動や圧力損失，伝熱性能について、それぞれのバランスを考慮して凸部及び凹部の形状を自由に設定することができる。また、図５及び図６のような階段状の凹部をスロープ状（山型形状・谷型形状（図示せず））とすることもできる。
【００２３】
また、図５及び図６に示すように、フィン１の送風方向下流側端部の凸部と凹部を略同一形状にすることもできる。例えば、凸部と凹部とを略同一形状とすることにより、一方のフィン１ａの凹部を他方のフィン１ｂの凸部とすることができるため、フィン材料取りの際に素材が無駄にならず材料コストを削減することができる。以上説明したように、図５及び図６に示すようなフィン１形状とすることにより、使用するフィンのコストを下げつつ、熱交換器の性能をより一層向上させることができる。
【００２４】
尚、上記各実施例においては、主に空気調和機を基本構成として説明したが、熱交換媒体である冷媒との間で熱交換を行う熱交換器を有する冷凍サイクル装置（空気調和機，ヒートポンプ給湯機等）であれば、同様に、本発明を適用することができる。
【００２５】
以上説明したように、本発明に係る熱交換器は、板厚方向に平行に並べられた複数のフィンと、フィンを板厚方向に貫通し、フィンの長手方向に所定間隔で配列され、内部を冷媒が流動する複数の伝熱管と、隣り合った複数の伝熱管の間であって、フィンの表面に形成された帯状切起片と、を備え、フィンの長手方向及び板厚方向に対して垂直方向に空気を送風し、空気を冷媒と熱交換させる熱交換器であって、帯状切起片の風上側にスリットを形成し、伝熱管に対するフィンの風下側端部を風下側に突出させて凸部を形成し、帯状切起片に対するフィンの風下側端部をこの凸部に対して相対的にへこませて凹部を形成した。
【００２６】
本発明によれば、帯状切起片の風上側にスリットを形成し、伝熱管に対するフィンの風下側端部を風下側に突出させて凸部を形成し、帯状切起片に対するフィンの風下側端部をこの凸部に対して相対的にへこませて凹部を形成したので、帯状切起片に着霜による目詰まりが生じた場合でも、風上側から流れ込んだ送風空気が帯状切起片の輪郭で形成される霜壁の上流側で分岐して伝熱管背面（及び伝熱管背面に形成された凸部）に流れ込む。伝熱管背面のフィンの伝熱面積は凸部により十分に確保されることから、流れ込んだ風に対して十分な熱交換が可能となる。送風空気が伝熱管背面に流れ込むことで、伝熱管背面の死水領域が減少し、有効な伝熱面積を更に増大させることができる。さらに、スリット５を介して帯状切起片３から送風空気が流れやすくなるので、帯状切起片３に着霜による目詰まりが生じている状態であっても、通風抵抗の増大を抑制することができる。従って、本発明によれば、低温環境下において着霜により帯状切起片に目詰まりが生じた場合においても、十分な伝熱面積と通風路を確保することができる熱交換器を提供することができる。
【符号の説明】
【００２７】
１，１ａ，１ｂ  フィン
２  伝熱管
３  帯状切起片
４  凸部
５  スリット
【図１】
2012013269.tif 000003
【図２】
2012013269.tif 000004
【図３】
2012013269.tif 000005
【図４】
2012013269.tif 000006
【図５】
2012013269.tif 000007
【図６】
2012013269.tif 000008
【図７】
2012013269.tif 000009